(57)【特許請求の範囲】
【請求項１】
耐薬品性材料からなるカセット本体と蓋を具備してなり、
カセット本体が、上面を開放した、検体を収容し得る方形の容器で、多数の透孔を有し、短辺側の一側壁Ａの外側に底部に向かって末広がり状に傾斜した板状の記録部を備えるとともに、その内側に係止溝を有し、他の側壁Ｂの外側に係止部を有し、
蓋が多数の透孔を有し、裏面の外周面に沿ってカセット本体内に嵌合するリブを有し、短辺側の一方側には前記係止溝に記録部裏面に沿って嵌入係合する傾斜状係止片を、他方側にはカセット本体よりも僅かに大き目の突縁部を有し、前記係止部と係合する係止片を有してなる医療検査用カセットにおいて、
前記カセット本体の側壁Ａの内面と嵌合するリブの先端角部を除去した形状からなることを特徴とする医療検査用カセット。
【請求項２】
耐薬品性材料からなるカセット本体と蓋を具備してなり、
カセット本体が、上面を開放した、検体を収容し得る方形の容器で、多数の透孔を有し、短辺側の一側壁Ａの外側に底部に向かって末広がり状に傾斜した板状の記録部を備えるとともに、その内側に係止溝を有し、他の側壁Ｂの外側に係止部を有し、
蓋が多数の透孔を有し、裏面の外周面に沿ってカセット本体内に嵌合するリブを有し、短辺側の一方側には前記係止溝に記録部裏面に沿って嵌入係合する傾斜状係止片を、他方側にはカセット本体よりも僅かに大き目の突縁部を有し、前記係止部と係合する係止片を有してなる医療検査用カセットにおいて、
前記カセット本体の側壁Ａの内面と嵌合するリブの高さを小さくしたことを特徴とする医療検査用カセット。
【請求項３】
耐薬品性材料からなるカセット本体と蓋を具備してなり、
カセット本体が、上面を開放した、検体を収容し得る方形の容器で、多数の透孔を有し、短辺側の一側壁Ａの外側に底部に向かって末広がり状に傾斜した板状の記録部を備えるとともに、その内側に係止溝を有し、他の側壁Ｂの外側に係止部を有し、
蓋が多数の透孔を有し、裏面の外周面に沿ってカセット本体内に嵌合するリブを有し、短辺側の一方側には前記係止溝に記録部裏面に沿って嵌入係合する傾斜状係止片を、他方側はカセット本体よりも僅かに大き目の突縁部を有し、前記係止部と係合する係止片を有してなる医療検査用カセットにおいて、
前記側壁Ａの内側先端角部を除去した形状からなることを特徴とする医療検査用カセット。
【請求項４】
カセット本体が仕切壁により区画され、蓋が裏面に前記仕切壁を両側から挟着するリブを有する請求項１〜３のいずれか１項に記載の医療検査用カセット。
【請求項５】
仕切壁を両側から挟着したリブのいずれか一方又は両方の仕切壁と接する側の先端角部を除去した形状からなる請求項４記載の医療検査用カセット。
【発明の詳細な説明】
【０００１】
【発明の属する技術分野】
本発明は、医療検査用顕微鏡標本の作製に使用する医療検査用カセットに関し、更に詳しくは、片手で容易且つ安定的に蓋を開閉でき、作業性の向上した医療検査用カセットに関する。
【０００２】
【従来の技術】
従来のこの種のカセットは、図１３に示すように、耐薬品性合成樹脂からなるカセット本体１と蓋２とを具備してなる。カセット本体１は、上面を開放した方形の容器で、底部に多数の透孔３を有し、短辺側の一側壁の外側に底部に向かって末広がり状に傾斜した板状の記録部４を設け、その内側に係止溝５を有し、他の側壁の外側に係止部６を有する。
【０００３】
蓋２は、着脱可能な板状体で、板面に多数の透孔７を有し、裏面の外周面に沿ってカセット本体内に嵌合するリブ８を有し、短辺側の一方側には前記係止溝５の記録部４の裏面に沿って嵌入係合する傾斜状係止片９を有し、短辺側の他方側にはカセット本体１よりも僅かに大き目の突縁部１０を有し、係合部６と係合する係止片１１を有している。
【０００４】
上記カセットを使用して顕微鏡標本を作製するには、まず、採取した検体１２をカセット本体１内に収容して蓋２を取り付け、記録部４に被検者の氏名等を記録しておく。蓋２の傾斜状係止片９は、カセット本体１の係止溝５に係合し、また係止片１１はカセット本体１の係止部６に係合して蓋２を固定する。
【０００５】
続いて、透孔７、３を通じて、検体１２を水洗し、次いでアルコールにより検体１２の水分を除去し、キシレンにより後述する液状パラフィンとの親和性を付与する。
【０００６】
次に、図１４に示すように、ステンレス製トレイ１３内に液状パラフィン１４を入れ、検体１２をカセット本体１から取り出して液状パラフィン１４中に置いて検体１２に液状パラフィンを浸透させる。続いて、トレイ１３の段部にカセット本体１を載せ、カセット本体１の底部が液状パラフィン１４に浸るまで、液状パラフィン１４を検体１２上に注ぎ足す。
【０００７】
液状パラフィン１４が固化した後トレイ１３を取り去ることにより、検体１２を包埋したパラフィン１４がカセット本体１の底部に付着してなるカセットブロック１５（図１５参照）を得る。
【０００８】
次に、図１５に示すように、ミクロトーム１６上に装着したアダプター１７の基台１８上にカセットブロック１５を裏返して載せ、固定する。アダプター１７は、レバー１９の操作により、基台１８に設けた固定腕２０と可動腕２１との間にカセット本体１を挟持して固定する。その際、カセット本体１が記録部４の傾斜により浮き上がるのを防止するため、両腕２０、２１の先端に形成した係止爪２２がカセット本体１の底部の角に係合する。続いて、パラフィン１４の検体１２を包埋した部分を矢印ａ方向にスライスし、スライスした薄片に染色、その他の所定の処理を施すことにより顕微鏡標本を得るのである。
【０００９】
【発明が解決しようとする課題】
上記カセットは、通常、一方の片手にピンセットを持ち、他方の片手で、例えば図１６に示す如く、蓋２のＰ点付近に人指し指を掛け、蓋２の突縁部１０に親指をかけた状態でＰ点を人指し指で少し押圧して該Ｐ点の両側を若干上方に反り返らせることにより蓋２の係止片１１をカセット本体１の係止部６から離脱させ、蓋２を上方に取り除き、もう一方の片手のピンセットを操作して検体をカセット本体１内に収容させる。そして、上記したように、水洗、薬剤処理を行った後、上記と同様の操作で片手で蓋２を取り去り、他方の片手のピンセットで検体１２をカセット本体１から取り出して液状パラフィン１４中に置いてカセットブロックが作成される。
【００１０】
しかるに、上記の如き従来のカセットにあっては、蓋２の裏面に設けたリブ８の傾斜状係止片９側の先端角部８ａがカセット本体１の側壁先端角部１ａに引っ掛り、蓋２を無理矢理上方に持ち上げてカセット本体１から取り去ろうとすると、蓋２が、先端角部８ａが側壁先端角部１ａから外れると同時にピンとはね上がることになり、その勢いで、カセット本体１内の検体１２がカセット本体１の外へ飛び出してしまい、貴重な検体１２を台無しにすることになる。
【００１１】
上記トラブルを回避しようとすれば、一旦両手を使って蓋２がはね上がることがないように慎重にカセット本体１から取り去り、次いで、ピンセットを使って検体１２を取り出すことになり、片手でピンセットを持ち、他方の片手で蓋を開けるという効率的な作業は不可能となり、従って、作業性は大巾に低下せざるを得ない。
【００１２】
本発明は、上記の如き欠点を解消し、片手で容易且つ安定的に開閉でき、作業性の改善された医療検査用カセットを提供するものである。
【００１３】
【課題を解決するための手段】
即ち、本発明の第１は、耐薬品性材料からなるカセット本体と蓋を具備してなり、
カセット本体が、上面を開放した、検体を収容し得る方形の容器で、多数の透孔を有し、短辺側の一側壁Ａの外側に底部に向かって末広がり状に傾斜した板状の記録部を備えるとともに、その内側に係止溝を有し、他の側壁Ｂの外側に係止部を有し、
蓋が多数の透孔を有し、裏面の外周面に沿ってカセット本体内に嵌合するリブを有し、短辺側の一方側には前記係止溝に記録部裏面に沿って嵌入係合する傾斜状係止片を、他方側にはカセット本体よりも僅かに大き目の突縁部を有し、前記係止部と係合する係止片を有してなる医療検査用カセットにおいて、
前記カセット本体の側壁Ａの内面と嵌合するリブの先端角部を除去した形状からなることを特徴とする医療検査用カセットを内容とする（請求項１）。
【００１４】
本発明の第２は、耐薬品性材料からなるカセット本体と蓋を具備してなり、
カセット本体が、上面を開放した、検体を収容し得る方形の容器で、多数の透孔を有し、短辺側の一側壁Ａの外側に底部に向かって末広がり状に傾斜した板状の記録部を備えるとともに、その内側に係止溝を有し、他の側壁Ｂの外側に係止部を有し、
蓋が多数の透孔を有し、裏面の外周面に沿ってカセット本体内に嵌合するリブを有し、短辺側の一方側には前記係止溝に記録部裏面に沿って嵌入係合する傾斜状係止片を、他方側にはカセット本体よりも僅かに大き目の突縁部を有し、前記係止部と係合する係止片を有してなる医療検査用カセットにおいて、
前記カセット本体の側壁Ａの内面と嵌合するリブの高さを小さくしたことを特徴とする医療検査用カセットを内容とする（請求項２）。
【００１５】
本発明の第３は、耐薬品性材料からなるカセット本体と蓋を具備してなり、
カセット本体が、上面を開放した、検体を収容し得る方形の容器で、多数の透孔を有し、短辺側の一側壁Ａの外側に底部に向かって末広がり状に傾斜した板状の記録部を備えるとともに、その内側に係止溝を有し、他の側壁Ｂの外側に係止部を有し、
蓋が多数の透孔を有し、裏面の外周面に沿ってカセット本体内に嵌合するリブを有し、短辺側の一方側には前記係止溝に記録部裏面に沿って嵌入係合する傾斜状係止片を、他方側はカセット本体よりも僅かに大き目の突縁部を有し、前記係止部と係合する係止片を有してなる医療検査用カセットにおいて、
前記側壁Ａの内側先端角部を除去した形状からなることを特徴とする医療検査用カセットを内容とする（請求項３）。
【００１６】
好ましい態様として、カセット本体が仕切壁により区画され、蓋が裏面に前記仕切壁を両側から挟着するリブを有する請求項１〜３のいずれか１項に記載の医療検査用カセットである（請求項４）。
【００１７】
好ましい態様として、仕切壁を両側から挟着したリブのいずれか一方又は両方の仕切壁と接する側の先端角部を除去した形状からなる請求項４記載の医療検査用カセットである（請求項５）。
【００１８】
【発明の実施の形態】
以下、本発明を実施例を示す図面に基づいて詳細に説明するが、本発明はかかる実施例のみに限定されないことは云うまでもない。
【００１９】
実施例１
本実施例の医療検査用カセットは、図１、図２に示すように、耐薬品性材料からなるカセット本体１と蓋２とを具備してなり、カセット本体１が、上面を開放した、検体を収容し得る方形の容器で、多数の透孔３を有し、短辺側の一側壁Ａの外側に底部に向かって末広がり状に傾斜した板状の記録部４を備えるとともに、その内側に係止溝５を有し、他の側壁Ｂの外側に係止部６を有してなる。
【００２０】
一方、蓋２が多数の透孔を有し、裏面の外周面に沿ってカセット本体１内に嵌合するリブ８を有し、短辺側の一方側には前記係止溝５に記録部４の裏面に沿って嵌入係合する傾斜状係止片９を、他方側にはカセット本体１よりも僅かに大き目の突縁部１０を有し、前記係止部６と係合する係止片１１を有してなる。
【００２１】
そして、前記カセット本体１の側壁Ａの内面と嵌合するリブ８が、該側壁Ａの先端１ａの内面と接する側８ａの先端角部を除去した形状から構成されている。
【００２２】
上記カセットは、通常、片手にピンセットを持ち、片手で、例えば図２に示す如く、蓋２のＰ点付近に人指し指を掛け、蓋２の突縁部１０に親指をかけた状態でＰ点を人指し指で少し押圧して該Ｐ点の両側を若干上方に反り返らせることにより蓋２の係止片１１をカセット本体１の係止部６から離脱させ、蓋２を上方に取り除き、他方の片手のピンセットを操作して検体をカセット本体１内に収容させる。そして、上記したように、水洗、薬剤処理を行った後、上記と同様の操作で片手で蓋２を取り去り、他方の片手のピンセットで検体１２をカセット本体１から取り出して液状パラフィン１４中に置いてカセットブロックが作成される。
【００２３】
この場合において、蓋２のリブ８は、側壁Ａの先端１ａの内面と接する側８ａがその先端角部を除去した形状からなるため、リブ８と側壁Ａの先端１ａとが引っ掛かるということがなく、蓋２は片手で容易且つスムーズに開けられ、検体のカセット本体１内への収容及び取り出しを容易に行うことができる。
【００２４】
尚、図ではリブ８の側壁Ａの先端１ａの内面と接する側８の先端角部をアールを付けることにより角部を除去しているが、先端から根元部に広がる傾斜状としてもよい。
【００２５】
本発明に使用される耐薬品材料としては、特に制限はなく、例えばポリアセタール、ポリカーボネート、フッ素樹脂等が好適である。
【００２６】
実施例２
本発明は図３、図４に示すように、カセット本体１の側壁Ａの内面と嵌合する、蓋２の裏面に設けたリブ８の該側壁Ａの先端１ａの内面と接する側８ａの高さを小さくした他は実施例１と同じである。
この場合においても、リブ８と側壁Ａの先端１ａとが引っ掛かるということがなく、蓋２は片手で容易且つスムーズに開けられ、検体のカセット本体１内への収容及び取り出しを容易に行うことができる。
【００２７】
尚、図３においては、リブ８の高さが側壁Ｂの側から側壁Ａの側へ連続的に小さくなるように構成されているが、側壁Ａの近傍部のみを小さくしてもよい。
【００２８】
実施例３
本実施例は図５、図６に示すように、カセット本体１の側壁Ａの先端１ａの内側角部を除去した形状（図では傾斜状）とした他は実施例１と同じである。
この場合においても、リブ８と側壁Ａの先端１ａとが引っ掛かるということがなく、蓋２は片手で容易且つスムーズに開けられ、検体のカセット本体１内への収容及び取り出しを容易に行うことができる。
【００２９】
実施例４
本実施例は図７〜図１１に示すように、カセット本体１が仕切壁２３により９個の小室に区画され（図８）、蓋２が上記仕切壁２３を両側から挟着するように、仕切壁２３の両側に２条のリブ８が設けられ（図９）、蓋２のリブ８の側壁Ａの先端１ａの内面と接する側８ａが、その高さを小さくするとともに先端角部を除去した構成からなっている（図１０）。
この場合においても、リブ８と側壁Ａの先端１ａとが引っ掛かるということがなく、蓋２は片手で容易且つスムーズに開けられ、検体のカセット本体１（９個の小室）内への収容及び取り出しを容易に行うことができる。
【００３０】
本実施例の場合は９個の小室からなるので、同時に９個の検体が処理されるものであるが、勿論９個に限られず所望の数の小室を設けることが可能である。しかし、前記したように、既存のミクロトーム等の装置を使用する場合には、カセットの大きさに自ら制約があり、従って、複数個の小室を設ける場合は、２〜９個程度が好ましい。９個を越えると、小室のサイズが小さくなり過ぎ、収容、処理する検体のサイズも制限され不都合な場合がある。
【００３１】
実施例５
本実施例は図１２に示すように、実施例４において、更に仕切壁２３を両側から挟着する２条のリブ８の仕切壁２３と接する側の先端角部を除去した構成とした他は実施例４と同じである。
このように構成することにより、蓋を開ける際に仕切壁２３とリブ８との摩擦が小さくなり、片手での開蓋操作を一層容易に行うことができる。
【００３２】
【発明の効果】
叙上のとおり、本発明によれば、一方の片手でピンセットを持ったまま、他方の片手で蓋を容易且つ安定的に開閉できるので、両手を使用したりする必要がなく効率的であり、また開蓋時に貴重な検体がカセット本体より飛び出すといったトラブルも皆無となり、作業性、効率性は飛躍的に改善される。
【図面の簡単な説明】
【図１】本発明のカセットの実施例を示す概略断面図である。
【図２】図１のカセットの蓋を開ける状態を示す概略図である。
【図３】本発明のカセットの他の実施例を示す概略断面図である。
【図４】図３のカセットの蓋を開ける状態を示す概略図である。
【図５】本発明のカセットの他の実施例を示す概略断面図である。
【図６】図５のカセットの蓋を開ける状態を示す概略図である。
【図７】本発明のカセットの別の実施例を示す上面図である。
【図８】図７のカセットのカセット本体の上面図である。
【図９】図７のカセットの蓋の裏面図である。
【図１０】図７のカセットの長さ方向の断面図である。
【図１１】図７のカセットの巾方向の断面図である。
【図１２】本発明のカセットの更に別の実施例を示す概略断面図である。
【図１３】従来のカセットを示す概略断面図である。
【図１４】従来のカセットを用いて検体をパラフィンに包埋させる状態を示す概略断面図である。
【図１５】図１４で得られるパラフィンブロックをミクロトームでスライスする状態を示す概略図である。
【図１６】従来のカセットの蓋を開ける状態を示す概略図である。
【符号の説明】
１  カセット本体                          ２  蓋
３  透孔                                  ４  記録部
５  係止溝                                ６  係止部
７  透孔                                  ８  リブ
９  傾斜状係止片                          １０  突縁部
１１  係止片                              １２  検体
１３  トレイ                              １４  パラフィン
１５  カセットブロック                    １６  ミクロトーム
１７  アダプター                          １８  基台
１９  レバー                              ２０  固定腕
２１  可動腕                              ２２  係止爪
【図１】
0004097877.tif 000002
【図２】
0004097877.tif 000003
【図３】
0004097877.tif 000004
【図４】
0004097877.tif 000005
【図５】
0004097877.tif 000006
【図６】
0004097877.tif 000007
【図７】
0004097877.tif 000008
【図８】
0004097877.tif 000009
【図９】
0004097877.tif 000010
【図１０】
0004097877.tif 000011
【図１１】
0004097877.tif 000012
【図１２】
0004097877.tif 000013
【図１３】
0004097877.tif 000014
【図１４】
0004097877.tif 000015
【図１５】
0004097877.tif 000016
【図１６】
0004097877.tif 000017